(57)【要約】【課題】キャビネットを全面的に開くことができ、しかも扉を開閉するために洗面室及びキャビネット自体に余剰のスペース等を要することのない、コンパクトな扉を備えたキャビネットを実現するする。【解決手段】シンクの下方に設置され、両側の側板２４、２５と、裏板２６と、底板２７と、幕板で形成される収納空間２９を備えたキャビネット３０を設け、収納空間２９の前面に、正面視で横方向にスライドする可撓性のスライド扉３１、３２を備え、スライド扉３１、３２を開いた状態で、スライド扉３１、３２が側板２４、２５に沿って収納空間２９内に格納される。【選択図】図６
2009022437.tif 000002
【特許請求の範囲】
【請求項１】
シンクの下方に設置され、両側の側板と裏板と底板で形成される収納空間を備えたキャビネットであって、収納空間の前面に、正面視で横方向にスライドするスライド扉を備え、スライド扉を開いた状態で、スライド扉が側板に沿って収納空間内に格納されていることを特徴とするキャビネット。
【請求項２】
請求項１記載のキャビネットであって、スライド扉を閉じた状態で、スライド扉の大部分が側板より前方に位置しているとともに、底板の一部が、スライド扉に沿った位置まで側板より前方に突出していることを特徴とするキャビネット。
【請求項３】
請求項２記載のキャビネットであって、両側の側板に固定される幕板を傭え、幕板がスライド扉を閉じた状態のスライド扉に沿った形状であることを特徴とするキャビネット。
【請求項４】
請求項１から３のいずれかに記載のキャビネットであって、スライド扉はその前面に突出しない凹状の前面取手を備えていることを特徴とするキャビネット。
【請求項５】
請求項１から４のいずれかに記載のキャビネットであって、スライド扉の裏面に、裏面取手を備えていることを特徴とするキャビネット。
【発明の詳細な説明】
【技術分野】
【０００１】
本発明は、キャビネットに関し、特に、洗面化粧台の化粧台キャビネットに、正面視で横方向にスライドするスライド式開閉扉を設けたキャビネットに関する。
【背景技術】
【０００２】
従来、洗面台用のキャビネットの扉として、所謂観音開き式の開き扉、或いは前後方向にスライドする引き出し扉等が知られている。
【０００３】
さらに、洗面化粧台用サイドキャビネットにおいて、上下にスライドするスライド扉を設けたものは公知である（特許文献１参照）。また、洗面化粧台のカウンターユニットにおいて、収納部に前後方向に移動するスライド扉を設けたものは公知である（特許文献２参照）。
【特許文献１】特開平８−２６６３４５号公報
【特許文献２】特開２００６−６８１３号公報
【発明の開示】
【発明が解決しようとする課題】
【０００４】
従来の開き扉或いは引き出し扉では、開閉時に使用者が手前側に開くための前方のスペースが必要であり、そのための余剰スペースが洗面室に求められる。
【０００５】
そして、上下にスライドするスライド扉では、下部又は上部にスライド扉の収納スペースを設ける必要がある。また、収納部に前後方向に移動するスライド扉を設けたものは、洗面化粧台の洗面ボールの側方上に設けた収納部の前方を開閉する扉としては適しているが、洗面化粧台の洗面ボールの下方のキャビネットの前面を、全面的に開放するような構成としては、洗面ボールがじゃまとなって適用しにくい。
【０００６】
本発明は、従来の洗面化粧台等のキャビネットの扉の問題を解決することを目的とし、キャビネットの収納部の前面を開くことができ、しかも扉を開閉するために洗面室及びキャビネット自体に余剰のスペース等を要することのない、コンパクトな扉を備えたキャビネットを実現することを課題とする。
【課題を解決するための手段】
【０００７】
本発明は上記課題を解決するために、シンクの下方に設置され、両側の側板と裏板と底板で形成される収納空間を備えたキャビネットであって、収納空間の前面に、正面視で横方向にスライドするスライド扉を備え、スライド扉を開いた状態で、スライド扉が側板に沿って収納空間内に格納されていることを特徴とするキャビネットを提供する。
【０００８】
スライド扉を閉じた状態で、スライド扉の大部分が側板より前方に位置しているとともに、底板の一部が、スライド扉に沿った位置まで側板より前方に突出している構成としてもよい。
【０００９】
両側の側板に固定される幕板を傭え、幕板がスライド扉を閉じた状態のスライド扉に沿った形状である構成としてもよい。
【００１０】
スライド扉はその前面に突出しない凹状の前面取手を備えている構成としてもよい。
【００１１】
スライド扉の裏面に、裏面取手を備えている構成としてもよい。
【発明の効果】
【００１２】
本発明によれば、キャビネットの収納部の前面を開くことができ、しかも扉を開閉するために、キャビネットを設けた洗面室等に余剰の空間は必要なく、さらにキャビネットに扉を収納するための特別な扉用の収納部を設ける必要がないので、構成が簡単となり、開閉扉をコンパクトな構成で設けることができる。また、洗面化粧台の洗面ボールの下方に収納部を備えたキャビネットにも適用できる。
【発明を実施するための最良の形態】
【００１３】
本発明に係るキャビネットを実施するための最良の形態を実施例に基づき図面を参照して、以下説明する。
【実施例１】
【００１４】
本発明のキャビネットを洗面化粧台に適用した実施例１を、図１〜３において説明する。図１（ａ）は、実施例１の洗面化粧台１の本体２の斜視図である。この洗面化粧台１のシンク３の下方に、キャビネット１０が設置されている。キャビネット１０は、左右両側の側板４、５と、裏板６と、底板７と、幕板８で形成される収納空間９を備えている。
【００１５】
後記する左右のスライド扉１１、１２をそれぞれ案内するために、図１（ａ）、図２（ａ）に示すように、キャビネット１０の底板７には、左下レール１３及び右下レール１４が配設され、キャビネット１０の上部には、左上レール１３’及び右上レール１４’が配設されている。
【００１６】
左下レール１３及び右下レール１４、並びに左上レール１３’及び右上レール１４’は、樹脂等の材料で形成され、図１（ｂ）に示すように、それぞれＬ型をしており、左右対称的に配置されている。左右下レール１３、１４及び左右上レール１３’、１４’は、図１（ｃ）に示すように、それぞれ断面凸状の軌道面１５、１５’が形成されている。
【００１７】
図１（ａ）、図２（ａ）に示すように、左下レール１３は、底板７の前縁から左側縁に沿って底板７に固定されており、また、右下レール１４は、底板７の前縁から右側縁に沿って底板７に固定されている。
【００１８】
図２（ａ）に示すように、左上レール１３’は、左下レール１３に対応して、キャビネット１０の幕板８の下端内面から左側の側板４の内面に沿って固定されており、右上レール１４’は、右下レール１４に対応して、キャビネット１０の幕板８の下端内面から右側の側板５の内面に沿って固定されている。
【００１９】
図１（ｄ）は、左右のスライド扉１１、１２を示す斜視図である。左右のスライド扉１１、１２は可撓性の樹脂で形成されており、図１（ｅ）に断面図を示すが、自然状態では平板状であり、矢印のように外力を加えると撓むように形成されている。
【００２０】
図２（ｂ）は、洗面化粧台１の本体２に、左右のスライド扉１１、１２を開閉可能取り付けた状態を示す図である。左右のスライド扉１１、１２は、図１（ｃ）に示すように、それぞれその上面及び下面に、上下のレール１３、１４の軌道面１５、１５’に摺動可能に嵌合する凹溝１６、１６’が形成されている。
【００２１】
なお、レール１３、１４に対して左右のスライド扉１１、１２が摺動して案内される構造であれば、軌道面１５、１５’が断面凹状でスライド扉１１、１２の上下面が断面凸状に形成されていてもよい。         
【００２２】
図１（ｃ）に示すように、左側のスライド扉１１は、左下レール１３と左上レール１３’によって、挟持されかつレールの長手方向に摺動可能に装着する。また、右側のスライド扉１２は、右下レール１４と右上レール１４’によって、挟持されかつレールの長手方向に摺動可能に装着する。
【００２３】
左右のスライド扉１１、１２には、その前面であって、互いに対向する端部の近くに、左右の前面取手１７、１８が装着されている。使用者は、この前面取手１７、１８に手を掛けて、図２（ａ）の矢印の方向に開閉操作が可能である。なお、後記する実施例２に示すように、左右のスライド扉の前面及び裏面にそれぞれ凹状の取手を形成してもよい（図４参照）。
【００２４】
（作用）                                                             
上記構成から成る実施例１の作用を説明する。図３（ａ）〜（ｃ）は、スライド扉１１、１２の動作を説明するキャビネット１０の断面を示す図である。図３（ａ）は、図２（ｂ）に示すように、左右のスライド扉１１、１２がキャビネット１０の収納部の前面を閉じている状態を示している。
【００２５】
使用者が正面視で横方向に前面取手１７、１８を操作して、左右のスライド扉１１、１２を、図２（ａ）、（ｂ）の矢印方向に引くと、左側のスライド扉１１は、左上下レール１３、１３’で案内され、また、右側のスライド扉１２は、右上下レール１４、１４’で案内され、図３（ｂ）に示すように、それぞれキャビネット１０の前面から左右の側板４、５の内面に沿うように屈曲して移動する。
【００２６】
そして、最終的には、図３（ｃ）に示すように、左右のスライド扉１１、１２は、左右の側板４、５に沿って収納空間９内に格納される。これによって、キャビネット１０の収納空間９の前面を全面的に開くことができる。
【実施例２】
【００２７】
本発明のキャビネットを洗面化粧台に適用した実施例２を、図４〜６において説明する。図４（ａ）は、実施例２の洗面化粧台２１の本体２２の斜視図であり、図５（ａ）は左右のスライド扉３１、３２を取り付けた洗面化粧台からシンク２３を取り除いた状態を示す図である。
【００２８】
この実施例２の洗面化粧台２１は、シンク２３の下方にキャビネット３０が設置されている。キャビネット３０は、左右両側の側板２４、２５と、裏板２６と、底板２７と、幕板２８（図５（ａ）参照）で形成される収納空間２９を備えている。
【００２９】
そして、底板２７の一部（前部）が、左右の側板２４、２５より前方に突出するように形成されている。このように突出した底板２７の前縁に対応して、スライド扉１１の大部分が側板２４、２５より前方に位置しており、幕板２８も左右の側板２４、２５の前端から前方に突出するように形成されている。
【００３０】
図４（ａ）、図５（ａ）に示すように、後記する正面視で横方向の左右のスライド扉３１、３２をそれぞれ案内するために、キャビネット３０の底板２７には、左下レール３３及び右下レール３４が配設され、キャビネット３０の上部には、左上レール３３’及び右上レール３４’が配設されている。
【００３１】
左右下レール３３、３４及び左右上レール３３’、３４’は、樹脂等の材料で形成され、図４（ｂ）に示すように、それぞれＬ型をしており、左右対称的に配置されている。また、左右下レール３３、３４及び左右上レール３３’、３４’は、図５（ｂ）に示すように断面凸状の軌道面３５、３５’が形成されている。
【００３２】
図４（ａ）に示すように、左下レール３３は、底板２７の前縁から左側縁に沿って底板２７に固定されており、また、右下レール３４は、底板２７の前縁から右側縁に沿って底板２７に固定されている。
【００３３】
左上レール３３’は、左下レール３３に対応して、キャビネット３０の幕板２８の下端内面から左側の側板２４の内面に沿って固定されており、右上レール３４’は、右下レール３４に対応して、キャビネット３０の幕板２８の下端内面から右側の側板２５の下端内面に沿って固定されている。
【００３４】
スライド扉３１、３２は、図１（ｅ）に示す実施例１と同様に、可撓性の樹脂で形成されており、図５（ｃ）に断面図を示すが、自然状態では平板状であり、矢印のように外力を加えると、撓むように形成されている。
【００３５】
左右のスライド扉３１、３２は、図５（ｂ）に示すように、それぞれその上面及び下面に、左右下レール３３、３４及び左右上レール３３’、３４’は、それぞれレールの軌道面３５、３５’に摺動可能に嵌合する凹溝３６、３６’が形成されている。
【００３６】
左側のスライド扉３１は、左下レール３３と左上レール３３’によって挟持され、かつレールの長手方向に摺動可能に装着される。また、右側のスライド扉３２は、右下レール３４と右上レール３４’によって、挟持されかつレールの長手方向に摺動可能に装着される。
【００３７】
また、左右のスライド扉３１、３２には、図４（ｃ）、（ｄ）に示すように、その前面であって、互いに対向する端部近くに、前方に突出しない凹状の前面取手３８が設けられている。使用者はこの前面取手３８に手を掛ければ、左右のスライド扉３１、３２の開閉操作が可能である。さらに、スライド扉３１、３２の裏面であって、互いに対向する端部近くに凹状の裏面取手３９が設けられており、左右のスライド扉３１、３２を開く際に使用者は手を掛けることができる（図６参照）。
【００３８】
（作用）                                                             
上記構成から成る実施例２の作用を説明する。図６（ａ）〜（ｃ）は、扉の動作を説明するキャビネット３０の断面を示す図である。図６（ａ）は、左右のスライド扉３１、３２がキャビネット３０の収納部の前面を閉じている状態を示している。
【００３９】
使用者が前面取手３８に手を掛けて、左右のスライド扉３１、３２を図５（ａ）の正面視で横方向に引くと、左側のスライド扉３１は、左上下レール３３、３３’で案内され、また、右側のスライド扉３２は、右上下レール３４、３４’で案内され、図６（ｂ）に示すように、それぞれキャビネット３０の前面から左右の側板２４、２５に沿うように屈曲して移動する。
【００４０】
そして、最終的には、図６（ｃ）に示すように、左右のスライド扉３１、３２は、左右の側板２４、２５に沿って収納空間２９内に格納される。左右のスライド扉３１、３２は、その前面に設けられた前面取手３８は凹状に形成されているので、スライド扉３１、３２を開く際に、前面取手３８が両側の側板２４、２５に当たって邪魔になるようなことがない。従って、図６（ｃ）に示すように、左右のスライド扉３１、３２は、全面的に開くことができる。
【００４１】
左右のスライド扉３１、３２を閉じる際には、使用者は、左右のスライド扉３１、３２の裏面に形成された凹状の裏面取手３９を掛けて、前面に設けられた前面取手３８が、使用者が手を掛けることができるように出てくるまで、閉じる方向に操作をする。なお、実施例１でも実施例２の裏面取手３９のような取手を設けてもよい。
【００４２】
実施例２のキャビネット３０は、底板２７の一部が左右の側板２４、２５より前方に突出してスライド扉３１、３２が前方に位置しているので、その分だけ収納空間２９が前方向に拡がり、より大きな収納空間２９が得られる。また、これに合わせて幕板２８はスライド扉３１、３２に沿った形状で前方に突出している。
【００４３】
以上、本発明に係るキャビネットを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４４】
本発明に係るキャビネットは、上記のような構成であり、洗面化粧台、キッチンのようなシンクを備えたキャビネットに最適であるが、その他各種のキャビネットにも適用可能である。
【図面の簡単な説明】
【００４５】
【図１】本発明の実施例１のキャビネット及び各部の構成を示す図であり、（ａ）は洗面化粧台の本体を示し、（ｂ）はレールを示し、（ｃ）はレールとスライド扉の断面図を示し、（ｄ）、（ｅ）はスライド扉の構成を示す図である。
【図２】本発明の実施例１のキャビネットの構成を説明する図であり、（ａ）はシンクを取り除いた状態の洗面化粧台の本体を示し、（ｂ）は洗面化粧台の全体構成を示す図である。
【図３】本発明の実施例１の作用を説明する図であり、洗面化粧台の本体の断面図を示す図である。
【図４】本発明の実施例２のキャビネットの構成を説明する図であり、（ａ）は洗面化粧台の本体を示し、（ｂ）はレールを示し、（ｃ）、（ｄ）はスライド扉の構成を示す図である。
【図５】本発明の実施例２のキャビネットの構成を説明する図であり、（ａ）はシンクを取り除いた状態の洗面化粧台の本体を示し、（ｂ）はレールとスライド扉の断面図を示し、（ｃ）はスライド扉の断面図を示す図である。
【図６】本発明の実施例２の作用を説明する図であり、洗面化粧台の本体の断面図を示す図である。
【符号の説明】
【００４６】
１、２１  洗面化粧台                        
２、２２  洗面化粧台の本体                  
３、２３  シンク                           
４、２４  左側の側板                       
５、２５  右側の側板                       
６、２６  裏板                             
７、２７  底板                             
８、２８  幕板                             
９、２９  収納空間                         
１０、３０  キャビネット                   
１１、１２、３１、３２  スライド扉          
１３、３３  左下レール                      
１４、３４  右下レール                      
１３’、３３’  左上レール                   
１４’、３４’  右上レール                   
１５、１５’、３５、３５’  断面凸状の軌道面 
１６、１６’、３６、３６’  凹溝            
１７、１８、３８  前面取手
３９  裏面取手                    
【図１】
2009022437.tif 000003
【図２】
2009022437.tif 000004
【図３】
2009022437.tif 000005
【図４】
2009022437.tif 000006
【図５】
2009022437.tif 000007
【図６】
2009022437.tif 000008